(57)【要約】      （修正有）【課題】橋マクラギの交換作業を好適に行うことができる橋マクラギ交換用補助装置及び橋マクラギ交換方法を提供する。【解決手段】橋マクラギ交換用補助装置１００を用いれば、重量物である橋マクラギＭを昇降機３０で吊り下げて容易に移動させることができるので、橋マクラギＭの交換作業の負担を軽減することができる。特に、この橋マクラギ交換用補助装置１００は、走行桁１０の一方の端部１１を作業エリアになる側歩道Ｗの上方に配置し易い態様を有しており、橋マクラギＭを吊り下げる昇降機３０を側歩道Ｗ側に寄せた位置に移動させることができるので、側歩道Ｗにて橋マクラギＭを昇降機３０の吊部３３から外したり、掛けたりする作業を好適に行うことができる。【選択図】図１
2020059973.tif 000002
【特許請求の範囲】
【請求項１】
鉄道橋において橋マクラギを交換するのに用いる橋マクラギ交換用補助装置であって、
走行路を有する走行桁と、
前記走行桁の両端に取り付けられ、その走行桁を前記橋マクラギの長手方向に沿わせて一対のレールの上方を横切らせた配置に支持する支持脚と、
前記走行桁に移動自在に設置され、前記橋マクラギを吊り下げ可能な昇降機と、
を備え、
前記支持脚は、前記走行桁の一方の端部が他方の端部よりも前記一対のレールから離間した位置にあるように、前記走行桁を支持しており、
前記一方の端部に取り付けられている第１支持脚は、その上部が前記一対のレールから離間する方向に傾斜した姿勢で前記走行桁に配設され、前記他方の端部に取り付けられている第２支持脚は、その上部が前記一対のレールに近接する方向に傾斜した姿勢で前記走行桁に配設されていることを特徴とする橋マクラギ交換用補助装置。
【請求項２】
前記第１支持脚の傾斜角度は、前記第２支持脚の傾斜角度よりも大きいことを特徴とする請求項１に記載の橋マクラギ交換用補助装置。
【請求項３】
前記第１支持脚と前記第２支持脚は、それぞれ前記一対のレールの延在方向に並ぶ配置に設けられた一対の脚部を有しており、
前記第１支持脚の一対の脚部の間のスペースは、前記第２支持脚の一対の脚部の間のスペースよりも広く形成されていることを特徴とする請求項１又は２に記載の橋マクラギ交換用補助装置。
【請求項４】
前記支持脚には車輪が設けられており、当該橋マクラギ交換用補助装置が前記一対のレールの延在方向に移動可能に構成されていることを特徴とする請求項１〜３のいずれか一項に記載の橋マクラギ交換用補助装置。
【請求項５】
請求項１〜４のいずれか一項に記載の橋マクラギ交換用補助装置を用いた橋マクラギ交換方法であって、
鉄道橋における一対のレールの側方にある作業エリアに、前記走行桁の一方の端部を向けて前記橋マクラギ交換用補助装置を設置する工程と、
前記一対のレールの下から撤去する旧橋マクラギを引き抜いて前記昇降機で吊り下げた状態にする工程と、
前記旧橋マクラギを吊り下げている前記昇降機を前記走行桁の一方の端部側に移動させた後、前記作業エリアに前記旧橋マクラギを下ろして回収する工程と、
前記作業エリアにて新たな橋マクラギを前記昇降機で吊り下げた状態にする工程と、
前記新たな橋マクラギを吊り下げている前記昇降機を前記走行桁の中央寄りの位置に移動させた後、その橋マクラギを下ろして前記一対のレールの下に挿し入れて据え付ける工程と、
を有することを特徴とする橋マクラギ交換方法。
【発明の詳細な説明】
【技術分野】
【０００１】
本発明は、橋マクラギの交換作業の負担を軽減する橋マクラギ交換用補助装置と、その橋マクラギ交換用補助装置を用いた橋マクラギ交換方法に関する。
【背景技術】
【０００２】
従来、鉄道橋において橋マクラギを交換する作業は人手によるものであった。
その橋マクラギは重量物であるので、狭隘な橋の上で古い橋マクラギを撤去し、そこへ新しい橋マクラギを据え付ける作業は重労働であり、作業員にかかる負担は大きなものであった。例えば、古い橋マクラギをレールの下から引き抜いたり、新しい橋マクラギをレールの下に挿し入れたりする過程で、橋マクラギが橋よりも外側にはみ出すことがあるが、重い橋マクラギを橋から落とさないように、慎重に作業を行わなければならないなど、橋マクラギの交換作業は肉体的にも精神的にも負担がかかる作業であった。
そのような橋マクラギの交換作業の負担軽減を図るため、マクラギ交換を行う専用の作業車両が橋梁に乗り入れることを可能にした技術が知られている（例えば、特許文献１参照。）。
【０００３】
また、鉄道の軌道において、レールなどの長尺な重量物を吊り上げて移送するのに使用する山越器が知られている（例えば、特許文献２参照。）。
この山越器は、走行桁に移動自在に載置され、重量物を把持して吊り上げる巻き上げ機を備えている。
【先行技術文献】
【特許文献】
【０００４】
【特許文献１】特開２０００−１１０１０１号公報
【特許文献２】特開２００９−２２０９３３号公報
【発明の概要】
【発明が解決しようとする課題】
【０００５】
しかしながら、上記特許文献１のマクラギ交換用軌道作業車両は非常に高価な装置であるため、それを導入するにあたっては費用対効果が問題となることがある。
また、上記特許文献２の山越器など従来公知の山越器を鉄道橋上に設置して使用する場合、例えば、鉄道橋の側方に設けられている側歩道などをマクラギ交換の作業エリアにするが、山越器による移送範囲を超えた作業エリアの端にまで橋マクラギを適切に移送することができないことがあった。狭隘な橋の上の作業エリアは限られているので、その作業エリアに適切に橋マクラギを移送することができなければ、マクラギ交換の作業効率が悪くなるという問題があった。
【０００６】
本発明の目的は、橋マクラギの交換作業を好適に行うことができる橋マクラギ交換用補助装置及び橋マクラギ交換方法を提供することである。
【課題を解決するための手段】
【０００７】
上記目的を達成するため、本出願に係る一の発明は、
鉄道橋において橋マクラギを交換するのに用いる橋マクラギ交換用補助装置であって、
走行路を有する走行桁と、
前記走行桁の両端に取り付けられ、その走行桁を前記橋マクラギの長手方向に沿わせて一対のレールの上方を横切らせた配置に支持する支持脚と、
前記走行桁に移動自在に設置され、前記橋マクラギを吊り下げ可能な昇降機と、
を備え、
前記支持脚は、前記走行桁の一方の端部が他方の端部よりも前記一対のレールから離間した位置にあるように、前記走行桁を支持しており、
前記一方の端部に取り付けられている第１支持脚は、その上部が前記一対のレールから離間する方向に傾斜した姿勢で前記走行桁に配設され、前記他方の端部に取り付けられている第２支持脚は、その上部が前記一対のレールに近接する方向に傾斜した姿勢で前記走行桁に配設されているようにした。
【０００８】
かかる構成の橋マクラギ交換用補助装置であれば、走行桁の一方の端部を一対のレールの側方に配し易い態様を有しているので、例えば、一対のレールの側方にある作業エリアの上方に走行桁の一方の端部を配置させることができ、橋マクラギを吊り下げる昇降機を作業エリア側に寄せた位置に移動させることができる。
このように、橋マクラギを吊り下げる昇降機を、一対のレールの側方にある作業エリア側に寄せた位置に移動させることができれば、鉄道橋の軌道から取り外した旧橋マクラギを昇降機で吊り下げて作業エリアに移動させて回収したり、作業エリアにて新たな橋マクラギを昇降機で吊り下げて軌道側に移動させて据え付けたりすることができる。
特に、重量物である橋マクラギを昇降機で吊り下げて移動させることができれば、複数の作業員が橋マクラギを持ち上げて運ぶよりも容易に移動させることができるので、橋マクラギの交換作業の負担を軽減することができ、橋マクラギの交換作業を好適に行うことができる。
【０００９】
また、望ましくは、
前記第１支持脚の傾斜角度は、前記第２支持脚の傾斜角度よりも大きいようにする。
【００１０】
こうすることで、第１支持脚側である走行桁の一方の端部を一対のレールから離間した位置に配し易くなり、例えば、一対のレールの側方にある作業エリアの上方に走行桁の一方の端部を配置し易くなる。
なお、ここでの傾斜角度は、垂直から斜めに傾斜した角度のことである。
【００１１】
また、望ましくは、
前記第１支持脚と前記第２支持脚は、それぞれ前記一対のレールの延在方向に並ぶ配置に設けられた一対の脚部を有しており、
前記第１支持脚の一対の脚部の間のスペースは、前記第２支持脚の一対の脚部の間のスペースよりも広く形成されているようにする。
【００１２】
このように、第１支持脚の一対の脚部の間のスペースが比較的広く形成されていれば、走行桁の一方の端部側に移動させた昇降機に吊り下げられている橋マクラギを、第１支持脚の一対の脚部の間を通すように移動させたり、その一対の脚部の間で橋マクラギを昇降させたりすることができる。
【００１３】
また、望ましくは、
前記支持脚には車輪が設けられており、当該橋マクラギ交換用補助装置が前記一対のレールの延在方向に移動可能に構成されているようにする。
【００１４】
橋マクラギ交換用補助装置を一対のレールの延在方向に移動させることができれば、橋マクラギ交換用補助装置を設置した箇所で橋マクラギの交換作業を終えた後、その橋マクラギ交換用補助装置を移動させて、作業対象になっている全ての橋マクラギを順次交換することができる。
【００１５】
また、本出願に係る他の発明は、
上記した橋マクラギ交換用補助装置を用いた橋マクラギ交換方法であって、
鉄道橋における一対のレールの側方にある作業エリアに、前記走行桁の一方の端部を向けて前記橋マクラギ交換用補助装置を設置する工程と、
前記一対のレールの下から撤去する旧橋マクラギを引き抜いて前記昇降機で吊り下げた状態にする工程と、
前記旧橋マクラギを吊り下げている前記昇降機を前記走行桁の一方の端部側に移動させた後、前記作業エリアに前記旧橋マクラギを下ろして回収する工程と、
前記作業エリアにて新たな橋マクラギを前記昇降機で吊り下げた状態にする工程と、
前記新たな橋マクラギを吊り下げている前記昇降機を前記走行桁の中央寄りの位置に移動させた後、その橋マクラギを下ろして前記一対のレールの下に挿し入れて据え付ける工程と、
を有するようにした。
【００１６】
このような橋マクラギ交換方法であれば、鉄道橋の軌道から取り外した旧橋マクラギを昇降機で吊り下げて作業エリアに移動させて回収したり、作業エリアにて新たな橋マクラギを昇降機で吊り下げて軌道側に移動させて据え付けたりすることができる。
特に、橋マクラギ交換用補助装置を用いて、重量物である橋マクラギを昇降機で吊り下げて移動させることができるので、橋マクラギの交換作業の負担を軽減することができ、橋マクラギの交換作業を好適に行うことができる。
【発明の効果】
【００１７】
本発明によれば、橋マクラギの交換作業を好適に行うことができる。
【図面の簡単な説明】
【００１８】
【図１】本実施形態の橋マクラギ交換用補助装置を示す正面図である。
【図２】図１の矢印II方向から矢視した橋マクラギ交換用補助装置の第１支持脚を示す側面図である。
【図３】図１の矢印III方向から矢視した橋マクラギ交換用補助装置の第２支持脚を示す側面図である。
【図４】橋マクラギ交換用補助装置にて橋マクラギを吊り下げた状態を示す正面図である。
【発明を実施するための形態】
【００１９】
以下、図面を参照して、本発明に係る橋マクラギ交換用補助装置及び橋マクラギ交換方法の実施形態について詳細に説明する。但し、以下に述べる実施形態には、本発明を実施するために技術的に好ましい種々の限定が付されているが、本発明の範囲を以下の実施形態及び図示例に限定するものではない。
この橋マクラギ交換用補助装置は、鉄道橋において橋マクラギを交換する作業員の負担を軽減するために用いる装置である。
【００２０】
本実施形態の橋マクラギ交換用補助装置１００は、例えば、図１〜図３に示すように、走行路１０ａを有する走行桁１０と、走行桁１０の両端に取り付けられ、その走行桁１０を支持している支持脚２１，２２と、走行桁１０に移動自在に設置され、橋マクラギＭを吊り下げ可能な昇降機３０と、を備えている。
【００２１】
本実施形態で橋マクラギ交換用補助装置１００を設置して使用する鉄道橋上には、例えば、図１に示すように、一対のレールＲと橋マクラギＭとで構成される軌道と、その軌道に沿う側歩道Ｗ等が設けられている。この側歩道Ｗには手摺Ｔが設けられており、軌道を挟んだ側歩道Ｗの反対側には、側歩道Ｗよりも狭い足場Ｖが設けられている。
【００２２】
そして、橋マクラギ交換用補助装置１００の走行桁１０の両端に取り付けられている支持脚２１，２２は、走行桁１０を橋マクラギＭの長手方向に沿わせて一対のレールＲの上方を横切らせた配置に略水平に支持するようになっている。
また、この支持脚２１，２２は、走行桁１０の一方の端部１１が他方の端部１２よりも一対のレールＲから離間した位置にあるように、走行桁１０を支持するようになっている。
【００２３】
特に、走行桁１０の一方の端部１１に取り付けられている第１支持脚２１は、その上部が一対のレールＲから離間する方向に傾斜した姿勢で走行桁１０に配設されており、また、走行桁１０の他方の端部１２に取り付けられている第２支持脚２２は、その上部が一対のレールＲに近接する方向に傾斜した姿勢で走行桁１０に配設されている。
ここで、走行桁１０を支持している第１支持脚２１と第２支持脚２２がこのような向きに傾斜した姿勢を有しているので、走行桁１０の一方の端部１１が一対のレールＲからより一層離間した位置に配するようにすることができ、例えば、走行桁１０の一方の端部１１が鉄道橋の側歩道Ｗの手摺Ｔよりも外側に張り出した位置に配することが可能になる。
【００２４】
また、この橋マクラギ交換用補助装置１００において、第１支持脚２１の傾斜角度は、第２支持脚２２の傾斜角度よりも大きいものとする。なお、ここでの傾斜角度は、垂直から斜めに傾斜した角度のことである。
本実施形態では、橋マクラギ交換用補助装置１００を正面視した際、第１支持脚２１の傾斜角度αが７７．５°、第２支持脚２２の傾斜角度βが８２．５°になるように設計した。
このように、第２支持脚２２よりも第１支持脚２１の方が傾斜しているようにすれば、第１支持脚２１側である走行桁１０の一方の端部１１を一対のレールＲから離間した位置に配し易くなる。
【００２５】
走行桁１０は、例えば、金属製の長尺な２本の角材１を所定間隔あけて略平行に配し、その両端を連結材２（図２、図３参照）で連結してなる桁状部材である。
この走行桁１０の上面が、昇降機３０が移動する走行路１０ａになっている。
【００２６】
昇降機３０は、転動自在な転動輪３１を有している所謂電動ホイストであり、図示しないモータの駆動によってワイヤー３２を巻き上げたり巻き下ろしたりする機器である。なお、図示しない有線または無線のコントローラーによってモータを駆動させて、ワイヤー３２の巻き上げや巻き下ろしの操作を行う。
本実施形態の昇降機３０のワイヤー３２の端部には、橋マクラギＭを保持するための吊部３３が設けられており、この吊部３３に保持された橋マクラギＭを昇降機３０が吊り上げ、その橋マクラギＭを吊り下げた状態に保持することができる。
【００２７】
また、この昇降機３０の底面には下方に突出しているガイド片３４が設けられている。
このガイド片３４は、走行桁１０における２本の角材１間の間隙に係入しており、昇降機３０が走行桁１０に沿って好適に移動するよう案内する機能を有している。
なお、昇降機３０のワイヤー３２は、この２本の角材１間の間隙を通じて、下方の鉄道橋に向けて降ろされている。
【００２８】
走行桁１０の一方の端部１１に取り付けられている第１支持脚２１は、例えば、図１、図２に示すように、一対のレールＲの延在方向に並ぶ配置に設けられた一対の脚部２１ａを有しており、側面視略逆Ｕ字状を呈している支持脚である。なお、一対の脚部２１ａの上端部は連結材２に固設されている梁材３に固定されている。
走行桁１０の他方の端部１２に取り付けられている第２支持脚２２は、例えば、図１、図３に示すように、一対のレールＲの延在方向に並ぶ配置に設けられた一対の脚部２２ａを有しており、側面視略逆Ｖ字状を呈している支持脚である。なお、一対の脚部２２ａの上端部は連結材２に固定されている。
【００２９】
このように、略逆Ｕ字状を呈している第１支持脚２１の一対の脚部２１ａの間のスペースは、略逆Ｖ字状を呈している第２支持脚２２の一対の脚部２２ａの間のスペースよりも広く形成されている。
第１支持脚２１の一対の脚部２１ａの間のスペースが比較的広く形成されているので、この一対の脚部２１ａの間に橋マクラギＭを通し易くなっている。
なお、第２支持脚２２の一対の脚部２２ａ間には、間隔保持材４が配設されている。
【００３０】
そして、第１支持脚２１の一対の脚部２１ａの下端部と、第２支持脚２２の一対の脚部２２ａの下端部には、それぞれ車輪２５が設けられている。この車輪２５は、例えば、ストッパー付きのキャスターである。
これら車輪２５を転動させるようにして、橋マクラギ交換用補助装置１００を一対のレールＲの延在方向に移動させることができる。
【００３１】
また、第１支持脚２１の脚部２１ａは、管状の上部脚部２１１と、その上部脚部２１１の管内にスライド移動可能に配設されている下部脚部２１２と、を有している。
同様に、第２支持脚２２の脚部２２ａは、管状の上部脚部２２１と、その上部脚部２２１の管内にスライド移動可能に配設されている下部脚部２２２と、を有している。
そして、上部脚部２１１、２２１には所定位置にボルト孔が設けられ、下部脚部２１２、２２２には所定間隔毎にボルト孔が設けられており、上部脚部２１１、２２１と下部脚部２１２、２２２のボルト孔を位置合わせして、そこにボルトＢを螺入し締結するようにして、脚部２１ａ、２２ａの長さ調整が可能になっている。
これら脚部２１ａ、２２ａを長さ調整することで、橋マクラギ交換用補助装置１００（走行桁１０）の高さ調整を行うことができる。
なお、上部脚部２１１、２２１が走行桁１０に取り付けられ、下部脚部２１２、２２２の下端に車輪２５が設けられている。
【００３２】
次に、本実施形態の橋マクラギ交換用補助装置１００を用い、鉄道橋にて橋マクラギＭを交換する作業の手順について説明する。
【００３３】
まず、橋マクラギＭを交換する鉄道橋上に橋マクラギ交換用補助装置１００を設置する。
狭隘な鉄道橋においては側歩道Ｗが主たる作業エリアになるので、図１に示すように、一対のレールＲの側方にある側歩道Ｗ側に走行桁１０の一方の端部１１を向けるように、第１支持脚２１を側歩道Ｗにのせ、第２支持脚２２を足場Ｖにのせる向きに、橋マクラギ交換用補助装置１００を設置する。
このとき、マクラギ交換を行う施工区間において、橋マクラギＭに対するレールＲの締結を解除し、レールＲをこう上させている。
【００３４】
次いで、一対のレールＲの下から撤去する旧橋マクラギＭを作業員が引き抜いて、その旧橋マクラギＭを吊部３３に掛けた後、ワイヤー３２を所定量巻き上げるようにして、旧橋マクラギＭを昇降機３０で吊り下げた状態にする。
橋マクラギＭが昇降機３０によって吊り下げられていれば、作業員は吊り下げられている橋マクラギＭに力を加えてワイヤー３２ごと昇降機３０を走行桁１０に沿って移動させるようにして、橋マクラギＭを容易に移動させることができる（図４参照）。
特に、第１支持脚２１の一対の脚部２１ａの間のスペースは比較的大きく取られているので、この一対の脚部２１ａの間を通すように橋マクラギＭを移動させたり、一対の脚部２１ａの間で橋マクラギＭを昇降させたりすることができる。
【００３５】
そして、旧橋マクラギＭを吊り下げている昇降機３０を走行桁１０の一方の端部１１側に移動させた後、ワイヤー３２を巻き下ろして側歩道Ｗに旧橋マクラギＭを下ろし、その旧橋マクラギＭを吊部３３から外して回収する。
なお、側歩道Ｗにて回収した橋マクラギＭは、軌道台車などに載せて鉄道橋から撤去する。
【００３６】
次いで、側歩道Ｗにて新たな橋マクラギＭを昇降機３０で吊り下げた状態にする（図４参照）。側歩道Ｗに配されている第１支持脚２１の一対の脚部２１ａの間のスペースは、前述したように比較的大きく取られているので、この一対の脚部２１ａの間で橋マクラギＭを昇降させたり、一対の脚部２１ａの間を通すように橋マクラギＭを移動させたりすることができる。
なお、新たな橋マクラギＭは、軌道台車などに載せて鉄道橋に搬入して側歩道Ｗに仮置きされており、作業員がその新たな橋マクラギＭを吊部３３に掛けた後、ワイヤー３２を所定量巻き上げるようにして、新たな橋マクラギＭを昇降機３０で吊り下げた状態にする。
前述したように、橋マクラギＭが昇降機３０によって吊り下げられていれば、作業員は吊り下げられている橋マクラギＭに力を加えてワイヤー３２ごと昇降機３０を走行桁１０に沿って移動させるようにして、橋マクラギＭを容易に移動させることができる。
そして、新たな橋マクラギＭを吊り下げている昇降機３０を走行桁１０の中央寄りの位置に移動させた後、ワイヤー３２を巻き下ろしてレールＲ近傍に橋マクラギＭを下ろし、一対のレールＲの下に新たな橋マクラギＭを挿し入れて据え付ける（図１参照）。
【００３７】
こうして、鉄道橋における橋マクラギＭの交換作業を１本分終えることができる。
この後、橋マクラギ交換用補助装置１００を一対のレールＲに沿って移動させ、作業対象になっている全ての橋マクラギＭを順次交換するようにする。
【００３８】
このように、本実施形態の橋マクラギ交換用補助装置１００を用いれば、重量物である橋マクラギＭを昇降機３０で吊り下げて容易に移動させることができるので、橋マクラギＭの交換作業の負担を軽減することができ、橋マクラギＭの交換作業を好適に行うことができる。
つまり、本実施形態の橋マクラギ交換方法による橋マクラギＭの交換作業は人手によるものであるが、橋マクラギ交換用補助装置１００を用いることで、作業員にかかる負担を大幅に軽減することができる。
【００３９】
特に、この橋マクラギ交換用補助装置１００は、走行桁１０の一方の端部１１を作業エリアになる側歩道Ｗの上方に配置し易い態様を有しており、橋マクラギＭを吊り下げる昇降機３０を側歩道Ｗ側に寄せた位置に移動させることができるので、側歩道Ｗにて橋マクラギＭを昇降機３０（吊部３３）から外したり、橋マクラギＭを昇降機３０（吊部３３）に掛けたりする作業を好適に行うことができる。
【００４０】
また、この橋マクラギ交換用補助装置１００は、比較的簡易な構成の装置であり、従来技術（特許文献１）のマクラギ交換用軌道作業車両に比べて格段に安価であるので、橋マクラギＭの交換作業を、コストを抑えて行うことができる。
【００４１】
なお、本発明の適用は上述した実施形態に限定されることなく、本発明の趣旨を逸脱しない範囲で適宜変更可能である。
【符号の説明】
【００４２】
１      角材
１０    走行桁
１０ａ  走行路
１１    一方の端部
１２    他方の端部
２１    第１支持脚（支持脚）
２１ａ  脚部（一対の脚部）
２１１  上部脚部
２１２  下部脚部
２２    第２支持脚（支持脚）
２２ａ  脚部（一対の脚部）
２２１  上部脚部
２２２  下部脚部
２５    車輪
３０    昇降機
３１    転動輪
３２    ワイヤー
３３    吊部
３４    ガイド片
１００  橋マクラギ交換用補助装置
Ｍ      橋マクラギ
Ｒ      レール
Ｗ      側歩道（作業エリア）
Ｔ      手摺
Ｖ      足場
Ｂ      ボルト
【図１】
2020059973.tif 000003
【図２】
2020059973.tif 000004
【図３】
2020059973.tif 000005
【図４】
2020059973.tif 000006